(57)【要約】【課題】小型化、簡素化に適し、家庭でも手軽に入手、使用ができる飲料注出装置を提供すること。【解決手段】飲料容器を正立状態から傾けることによって飲料を注出する飲料注出装置であって、飲料容器の首部に着脱自在に装着されるキャップと、前記キャップに取り付けられ、前記キャップが前記首部に装着された状態で、内部が前記飲料容器の内部と連通されるノズルと、前記ノズル内に設けられた撹拌羽根を有し当該撹拌羽根を動作させることで飲料を泡化させる泡形成手段と、外気に連通し前記飲料容器の内部に空気を取り込むためのチューブと、を備え、前記ノズルの先端部分は、筒状且つ直線状に形成され、当該ノズルの先端が前記飲料容器から離間し且つ基端が前記飲料容器に近接する方向に前記飲料容器の軸心に対して傾斜している。【選択図】図１
2018154397.tif 000002
【特許請求の範囲】
【請求項１】
飲料容器を正立状態から傾けることによって飲料を注出する飲料注出装置であって、
飲料容器の首部に着脱自在に装着されるキャップと、
前記キャップに取り付けられ、前記キャップが前記首部に装着された状態で、内部が前記飲料容器の内部と連通されるノズルと、
前記ノズル内に設けられた撹拌羽根を有し当該撹拌羽根を動作させることで飲料を泡化させる泡形成手段と、
外気に連通し前記飲料容器の内部に空気を取り込むためのチューブと、  
を備え、
前記ノズルの先端部分は、筒状且つ直線状に形成され、当該ノズルの先端が前記飲料容器から離間し且つ基端が前記飲料容器に近接する方向に前記飲料容器の軸心に対して傾斜していることを特徴とする飲料注出装置。
【請求項２】
前記チューブには、当該チューブからの飲料の漏れを防止するための逆止弁が設けられていることを特徴とする請求項１に記載の飲料注出装置。
【請求項３】
前記ノズルの周囲には、一端が前記ノズルの先端側で外気に向けて開口し、他端が前記ノズルの内部に向けて前記攪拌羽根よりも基端寄り位置で開口して前記ノズル内に空気を供給する空気供給通路が形成されていることを特徴とする請求項１又は請求項２に記載の飲料注出装置。
【請求項４】
前記飲料容器に着脱可能に構成され、注出の際に前記飲料容器を支持するためのハンドルを有するアタッチメントを備えたことを特徴とする請求項１から請求項３のいずれか一項に記載の飲料注出装置。
【請求項５】
前記アタッチメントは、前記飲料容器の首部に装着される第１の固定具と、前記飲料容器の胴体に装着される第２の固定具とを備えたことを特徴とする請求項４に記載の飲料注出装置。
【請求項６】
前記第１の固定具は、前記飲料容器のネックリングと前記飲料容器の首部の付け根との間に掛けられるフックであることを特徴とする請求項５に記載の飲料注出装置。
【請求項７】
前記第１の固定具は、前記飲料容器の軸線を含む面に対して垂直な軸を中心に回動可能に構成されていることを特徴とする請求項６に記載の飲料注出装置。
【請求項８】
前記第２の固定具は、前記飲料容器の胴体を締め付けるベルトであることを特徴とする請求項４から請求項７のいずれか一項に記載の飲料容器。
【請求項９】
前記ハンドルは直棒状に形成され、前記飲料容器を正立させた状態で見た場合、直立位置と、横倒し位置とを取り得るように所定の軸を中心に回動可能に構成されていることを特徴とする請求項４から請求項８に記載の飲料注出装置。  
【請求項１０】
前記ハンドルには、前記直立位置で前記ノズルの先端の口を塞ぐノズル収容凹部が形成されていることを特徴とする請求項９に記載の飲料注出装置。
【発明の詳細な説明】
【技術分野】
【０００１】
本発明は泡立て飲料注出装置に関する。
【背景技術】
【０００２】
近年、コーヒー飲料を泡立てた所謂ドラフトコーヒーが人気を博している。この非特許文献１に記載の飲料注出装置では、炭酸ガスや窒素ガスを用いて飲料を泡化している（例えば、特許文献１及び非特許文献１参照）。
【先行技術文献】
【特許文献】
【０００３】
【特許文献１】特開２０１６−０５９３７２号公報
【非特許文献】
【０００４】
【非特許文献１】ＵＲＬ；ｈｔｔｐ：／／ｓｔｕｄｙｈａｃｋｅｒ．ｎｅｔ／ｖｏｃａｂｕｌａｒｙ／ｄｒａｆｔ−ｃｏｆｆｅｅ
【発明の概要】
【発明が解決しようとする課題】
【０００５】
しかしながら、炭酸ガスや窒素ガスを用いて飲料を泡化するものでは、飲料注出装置が大がかりなものとなり、装置が大型化、複雑化してしまい、家庭で手軽に入手したり、使用したりできないという問題がある。
本発明は、このような問題点に鑑みなされたもので、小型化、簡素化に適し、家庭でも手軽に入手、使用ができる飲料注出装置を提供することを目的としている。
【課題を解決するための手段】
【０００６】
第１の手段は、
飲料容器を正立状態から傾けることによって飲料を注出する飲料注出装置であって、
飲料容器の首部に着脱自在に装着されるキャップと、
前記キャップに取り付けられ、前記キャップが前記首部に装着された状態で、内部が前記飲料容器の内部と連通されるノズルと、
前記ノズル内に設けられた撹拌羽根を有し当該撹拌羽根を動作させることで飲料を泡化させる泡形成手段と、
外気に連通し前記飲料容器の内部に空気を取り込むためのチューブと、  
を備え、
前記ノズルの先端部分は、筒状且つ直線状に形成され、当該ノズルの先端が前記飲料容器から離間し且つ基端が前記飲料容器に近接する方向に前記飲料容器の軸心に対して傾斜していることを特徴とする。
【０００７】
第２の手段は、第１の手段において、前記チューブには、当該チューブからの飲料の漏れを防止するための逆止弁が設けられていることを特徴とする。
【０００８】
第３の手段は、第１の手段又は第２の手段において、前記ノズルの周囲には、一端が前記ノズルの先端側で外気に向けて開口し、他端が前記ノズルの内部に向けて前記攪拌羽根よりも基端寄り位置で開口して前記ノズル内に空気を供給する空気供給通路が形成されていることを特徴とする。
【０００９】
第４の手段は、第１の手段から第３の手段のいずれか一の手段において、前記飲料容器に着脱可能に構成され、注出の際に前記飲料容器を支持するためのハンドルを有するアタッチメントを備えたことを特徴とする。
【００１０】
第５の手段は、第４の手段において、前記アタッチメントは、前記飲料容器の首部に装着される第１の固定具と、前記飲料容器の胴体に装着される第２の固定具とを備えたことを特徴とする。
【００１１】
第６の手段において、第５の手段において、前記第１の固定具は、前記飲料容器のネックリングと前記飲料容器の首部の付け根との間に掛けられるフックであることを特徴とする。
【００１２】
第７の手段は、第６の手段において、前記第１の固定具は、前記飲料容器の軸線を含む面に対して垂直な軸を中心に回動可能に構成されていることを特徴とする。
【００１３】
第８の手段は、第４の手段から第７の手段のいずれか一の手段において、前記第２の固定具は、前記飲料容器の胴体を締め付けるベルトであることを特徴とする。
【００１４】
第９の手段は、第４の手段から第７の手段のいずれか一の手段において、前記ハンドルは直棒状に形成され、前記飲料容器を正立させた状態で見た場合、直立位置と、横倒し位置とを取り得るように所定の軸を中心に回動可能に構成されていることを特徴とする。
【００１５】
第１０の手段は、第９の手段において、前記ハンドルには、前記直立位置で前記ノズルの先端の口を塞ぐノズル収容凹部が形成されていることを特徴とする。
【発明の効果】
【００１６】
第１の手段によれば、飲料容器を傾けることによって飲料が注出されるとともに、撹拌羽根を動作させることによって飲料を泡化できる。また、少なくともノズルの先端部を直線状にして傾斜させたので、飲料容器を傾けても飲料や飲料泡を簡単に注ぐことができる。
【００１７】
第２の手段によれば、チューブに逆止弁が設けられているため、飲料容器を傾けたときでも、チューブから飲料が漏れ出ることを防止できる。
【００１８】
第３の手段によれば、泡の形成の際に十分な空気をノズル内に効果的に取り込むことができる。
【００１９】
第４の手段によれば、注出の際に飲料容器を支持するためのハンドルが設けられているので、飲料容器を直接持たずに、飲料を注ぐことができる。
【００２０】
第５の手段によれば、アタッチメントが飲料容器の軸線方向に離れた２つの箇所で第１の固定部と第２の固定部とによって飲料容器に固定されるので、確実にアタッチメントを
飲料容器に装着することができる。
【００２１】
第６の手段によれば、第１の固定手段がフックであり、フックを飲料容器のネックリングと首部の付け根との間に掛けるので、確実且つ簡単にアタッチメントを飲料容器に固定することができる。
【００２２】
第７の手段によれば、フックが回転自在となっているため、アタッチメントの飲料容器への固定がより簡単に行えることになる。
【００２３】
第８の手段によれば、第２の固定手段がベルトであり、ベルトで飲料容器の胴体を締め付けるだけなので、確実且つ簡単にアタッチメントを飲料容器に固定することができる。
【００２４】
第９の手段によれば、ハンドルを第１の位置にすることで、平面積を小さくすることができるので、アタッチメントを取り付けたままで冷蔵庫などに簡単に収納することができる。また、ハンドルを第２の位置にすれば、飲料や飲料泡を簡単に注出することができる。
【００２５】
第１０の手段によれば、ノズルの先端の汚れの付着や内容物の酸化を防止することができる。
【図面の簡単な説明】
【００２６】
【図１】本発明の注出装置の一実施形態を示した斜視図である。
【図２】ノズルの内部を示した断面図である。
【図３】流量調節手段を示した断面図である。
【図４】モータのノズルへの連結状態を示した図である。
【図５】モータをノズルから取り外す状態を示した図である。
【図６】ハンドルをペットボトルに取り付けるための第１の固定具を示した図である。
【図７】ハンドルをペットボトルに取り付けるための第２の固定具を示した図である。
【図８】注出された飲料や飲料泡を示した図である。
【発明を実施するための形態】
【００２７】
以下、本発明の注出装置を図面に示した実施形態に基づいて説明する。
【００２８】
図１に示す注出装置１０は、ペットボトル１等の飲料容器に装着して使用されるものである。
すなわち、この注出装置１０は、注出装置本体１０ａをペットボトル１の首部１ａに装着するとともに、アタッチメント１０ｂをペットボトル１に装着し、アタッチメント１０ｂのハンドル３１を片手で握ってペットボトル１を傾けてノズル１１から飲料をカップに所定量注ぎ、その後に飲料の泡（飲料泡）を泡無し飲料の上に注ぐように構成されている。
飲料及び飲料泡を注ぐ際には、ハンドル３１を図１の２点鎖線で示した状態にし、注出後にはハンドル３１を図１の実線で示した状態にする。これによって、ハンドル３１がノズル１１の口を塞ぎ、その状態で冷蔵庫のドアポケット等に収容できる形となる。
ここで、ペットボトル１に収容された飲料の種類について言えば、コーヒーやお茶等のように発泡性を持たず撹拌によって泡を生じる飲料であるが、発泡飲料であるビール等にも使用できる。
【００２９】
（注出装置本体１０ａ）
注出装置本体１０ａは、飲料流路を構成するノズル１１を備えている。ノズル１１は円筒状に形成されている。ノズル１１の先端の口はノズル１１の軸線に対して傾斜している。また、ノズル１１は、正立したペットボトル１に注出装置本体１０ａが装着された状態では、先端が後端よりも高くなるようにペットボトル１の軸線に対して４０度から５０度好ましくはほぼ４５度の角度で傾斜している。これによって、飲料や飲料泡を注出した後にペットボトル１１を正立させると、ノズル１１内に残った飲料や飲料泡がペットボトル１１側に戻り、ノズル１１の先端の口から零れ出ることが防止される。
【００３０】
図２に示すように、ノズル１１は、ペットボトル１の首部１ａに螺着されるキャップ１２に設けられている。
すなわち、キャップ１２は、内面に雌ねじが形成された円筒部１２ａと、この円筒部１２ａの外周全体を覆うカバー部１２ｂとを備えている。円筒部１２ａとカバー部１２ｂとは一体に回転する。
カバー部１２ｂの上端には、キャップ１２の半径方向内方に向けて環状に張り出す内向フランジ１２０ｂが形成されている。一方、ノズル１１には、キャップ１２に対して直立した円筒体１３の上端が結合されている。円筒体１３はペットボトル１の内部とノズル１１の内部とを連通させる働きをする。この円筒体１３の下端には、円筒体１３の半径方向外方に張り出す外向フランジ１４が形成されている。そして、この外向フランジ１４は、円筒部１２ａの上縁とカバー１２ｃの内向フランジ１２０ｂとの間で挟持されている。これによって、ノズル１１がキャップ１２に設けられ、ノズル１１は、円筒体１３と一緒に、キャップ１２の軸心を中心に当該キャップ１２とは独立に回転可能となっている。
なお、キャップ１２は、円筒部１２ａの雌ねじがペットボトル１の首部１ａの雄ねじに螺合することによって、ペットボトル１の首部１ａに装着される。
【００３１】
図３（Ａ），（Ｂ）に示すように、円筒体１３には、ペットボトル１から流出するコーヒー２の流量を調節する流量調節手段１５が配設されている。この流量調節手段１５は球状の弁体１６を備えている。弁体１６は、軸１６ａを中心に回転可能となるように円筒体１３に取り付けられている。軸１６ａは円筒体１３の外方に突出し、その突出部分にはダイヤル摘み１８が取り付けられている。また、弁体１６には、貫通する孔１７が形成されている。そして、ダイヤル摘み１８を外部から操作することで円筒体１３内を流れる飲料の流量を調節する。図３（Ａ）には流路全開状態、図３（Ｂ）には流路全閉状態が示されている。なお、弁体１６は回転位置により中間状態も取り得る。この弁体１８は弁座１６ｂに着座し、弁座１６ｂの孔の開き具合を調節する。
【００３２】
また、ノズル１１内には、図２に示すように電動の攪拌羽根１９が配設されている。撹拌羽根１９は板状に形成されている。また、撹拌羽根１９の両側の縁は、円弧を当該撹拌羽根１９の軸線方向に連ねた波形状に形成され、円弧部分の内側には円孔が形成されている。
撹拌羽根１９の軸１９ａは、撹拌羽根１９を軸線方向で挟むように位置する第１の軸支部１９ｂ及び第２の軸支部１９ｃで支持されている。第１の軸支部１９ｂは撹拌羽根１９よりも下流側に位置し、第２の軸支部１９ｃは撹拌羽根１９よりも上流側に位置している。第１の軸支部１９ｂは飲料の流通を妨げない程度にノズル１１の内面から内方に突出し、第２の軸支部１９ｃは、軸１９ａが貫通する以外の部分でノズル１１を閉塞し、流路を画成している。
【００３３】
図４（Ａ）はノズル１１の基端部とモータ２１の連結構造を示している。攪拌羽根１９の軸１９ａはノズル１１の基端方向に延設されている。このノズル１１の基端部には、図５（Ａ）に示すように、連結手段２０によってモータ２１ａや電池（図示せず）を収容するモータハウジング２１が連結されている。連結手段２０は、モータハウジング２１の外周面に設置された係止レバー２２を備えている。一方、ノズル１１の基端外周面には突起２３が形成されている。そして、図５（Ａ）に示すように、レバー２２とモータハウジング２１との間に介在させたスプリング２４の付勢力によってレバー２２の先端の爪２２ａをノズル１１の外周の突起２３に係合させることにより、ノズル１１とモータハウジング２１とを連結させる。一方、この連結手段２０によれば、図５に示すように、レバー２２をスプリング２４の付勢力に抗して回動させ、爪２２ａを突起２３から離反させた状態でモータハウジング２１を引き抜けば、モータハウジング２１をノズル１１から取り外すことができる。例えば、ペットボトル１等の飲料容器を注出装置１０を付けたままで冷蔵庫に入れたり冷蔵庫から出したりすると、結露が発生してモータハウジング２１内の電池や接点が腐食する虞がある。この点、着脱式にした実施形態のものでは、電池や接点の腐食という問題を防止することができる。なお、図２において符号２１ｂはモータ２１を作動させるためのスイッチを指示している。
【００３４】
また、図４（Ｂ）はノズル１１の基端部及び軸１９ａの基端部の形状を示している。同図においてノズル１１の基端部は環状となっている。同図の環状部分において、破線部分は凸部を示し、白抜き部分は凹部を示している。
この凸部及び凹部はノズル１１側の嵌合部２５ａを構成している。一方、モータハウジング２１側にはノズル１１側の嵌合部２５ａと相補的形状を有する凹部及び凸部からなる嵌合部２５ｂが形成されている。ここで、「相補的形状」とは、モータハウジング２１側の凸部と嵌合する凹部と、ノズル１１側の凹部と嵌合する凸部を有する形状を言う。
このようにノズル１１側の嵌合部２５ａとモータハウジング２１側の嵌合部２５ｂとが互いに嵌合することで、互いの相対回転が規制される。
【００３５】
また、ノズル１１に内装された攪拌羽根１９の軸１９ａには、図４（Ｂ）に示すように、十字形の穴２６ａを有する一方の継ぎ手（雌型）２７ａが形成されている。また、モータ２１ａの軸２１０ａの先端部には、上記十字形の穴２６ａに嵌合する十字形部分２６ｂを有する他方の継ぎ手２７ｂが形成されている（図４（Ａ）参照）。そして、一方の継ぎ手２７ａと他方の継ぎ手２７ｂとが係合することにより、モータ２１の動力が撹拌羽根１９に伝達される。
【００３６】
また、ノズル１１は、図２に示すように、空気を攪拌羽根１９よりも基端側に導く空気供給通路２８を備えている。この空気供給通路２８はノズル１１の周囲に母線に沿って形成され、一端がノズル１１先端に開口し、他端が攪拌羽根１９よりも基端寄りに開口している。この空気供給通路２８は泡の形成の際に十分な空気をノズル１１内に効果的に取り込むとともに、余分な泡を排出する働きをする。
【００３７】
また、キャップ１２には、空気取入れ口２９ａに連通する空気取込み用のチューブ２９を備えている。チューブ２９はキャップ１２に着脱可能となっている。そして、キャップ１２に装着されたチューブ１２は、ペットボトル１の底まで届く長さを有し、ペットボトル１からコーヒー２を注出させる際に、ペットボトル１内が負圧にならないように空気を取り込む。このチューブ２９の下端には、ペットボトル１内の飲料がチューブ２９を通って外部へ漏出しないように逆止め弁３０が配設されている。
【００３８】
また、注出装置１０が備えるアタッチメント１０ｂは、図１に示すように、ユーザが片手で握れるハンドル３１を備えている。ハンドル３１は、ペットボトル１にアタッチメント１０ｂを装着した状態で、ペットボトル１の胴体及び肩部に当接される支持体３２に配設されている。このハンドル３１は、特に限定はされないが角柱状で、軸４０を中心に回動可能となるように支持体３２に取り付けられている。そして、ハンドル３１は、ベッドボトル１を正立させた状態で見たときには、起立位置（図１の実線）と、横倒位置（図１の２点鎖線）とを取り得る。なお、横倒位置からさらに下がらないようにストッパを設けておくことが好ましい。
ハンドル３１は、自由端部にノズル収容凹部４１を備えている。そして、ハンドル３１は、図１に示すように、ペットボトル１の軸心と平行な姿勢（起立位置）で、ノズル１１の先端を凹部４１に収容し、それによってノズル１１の先端の汚れの付着や内容物の酸化を防止するとともに、ハンドル３１をその状態に維持させる働きをする。
【００３９】
また、アタッチメント１０ｂは、第１の固定具３３と第２の固定具３４とを備える。
第１の固定具３３は図６（Ａ），（Ｂ）に示すような円弧状のフックであり、軸４０を中心に回動可能となるように支持体３２に取り付けられている。この第１の固定具３３は、ペットボトル１のネックリングとペットボトル１の首部１ａの付け根との間に掛けられる。一方、図７（Ａ），（Ｂ）に示すように、第２の固定具３４はベルトとなっている。この第２の固定具３４は、特に限定はされないが、プラスチック製のコ字状の２つのベルト片３４ａ，３４ｂで構成されている。なお、２つのベルト片３４ａ，３４ｂはゴム製であってもよい。
一方のベルト片３４ｂの中間部は支持体３２に固定されている。そして、ベルト片３４ｂの一端にはヒンジ３５を介してベルト片３４ａの一端が連結されている。ベルト片３４ｂの他端には舌片３８が付設され、舌片３８の先には爪３８ａが形成されている。一方、ベルト片３４ａの他端には、上記爪３８ａが嵌まり込む穴３７が形成されている。そして、第２の固定具３４は爪３８ａを穴３７に嵌まり込ませたときに、図７（Ａ）に示すように矩形となる。
【００４０】
次に、注出機本体１０ａ及びアタッチメント１０ｂが装着されるペットボトル１の一例を説明する。
ペットボトル１は、全体として４角柱状に形成され、胴体の上下方向中間部にくびれを有し、上端部が四角錐台状となっている。そして、その上端部に首部１ａが形成されている。アタッチメント１０ｂの支持体３２は胴体及び肩部に当接するように配設される。また、第１の固定具３３は、ペットボトル１のネックリング１ｃとペットボトル１の首部１ａの付け根との間に掛けられる。一方、第２の固定具３４は、ペットボトル１のくびれに掛けられる。このように、アタッチメント１０ｂをペットボトル１の上下方向の２箇所で固定することで安定した形でペットボトル１に取り付けられる。
【００４１】
次に、注出装置１０の使用方法を説明する。
先ず、飲料が入った市販のペットボトル１のキャップを取り外し、注出装置本体１０ａのキャップ１２を取り付けるとともに、アタッチメント１０ｂをペットボトル１に取り付ける。そして、図１において２点鎖線で示したように、ハンドル３１を回動させる。
【００４２】
そして、ハンドル３１を片手で握ってペットボトル１を傾倒させ、ノズル１１の先端をカップの口に位置させる。すると、ペットボトル１内の飲料２は、円筒体１３を経てノズル１１に導かれ、ノズル１１の先端の口１１ａからカップに注出される。そして、図８（Ａ）に示すように、飲料２が適量に達した状態で、スイッチ２１ｂを操作してモータ２１ａを作動させると、ノズル１１内の飲料２は、空気供給通路２８を経て取り入れられた空気と攪拌され、それによって飲料泡が生成される。そして、この飲料泡はカップ３に注入され、図８（Ｂ）に示したように、飲料２の上に飲料泡２ａの層が形成される。
【００４３】
以上、本発明の実施形態について説明したが、本発明はかかる実施形態に限定されるものではなく、その要旨を逸脱しない範囲で種々変形可能であることは言うまでもない。
【符号の説明】
【００４４】
１    ペットボトル
１ａ    首部
１ｃ    ネックリング
２    飲料
２ａ    飲料泡
１０    注出装置
１０ａ    注出装置本体
１０ｂ    アタッチメント
１１    ノズル
１２    キャップ
１９    攪拌羽根
２８    外気通路
２９    チューブ
３０    逆止弁
３２    支持体
３３    第１の固定具
３４    第２の固定具
４１    ノズル収容凹部
【図１】
2018154397.tif 000003
【図２】
2018154397.tif 000004
【図３】
2018154397.tif 000005
【図４】
2018154397.tif 000006
【図５】
2018154397.tif 000007
【図６】
2018154397.tif 000008
【図７】
2018154397.tif 000009
【図８】
2018154397.tif 000010